(57)【特許請求の範囲】
【請求項１】
２本のガイド部材を介して第１昇降手段によりマンホールポンプを昇降し、このマンホールポンプの吐出側フランジを、マンホール底部に設置した揚水管のベンド流入側フランジに着脱させる形式のマンホールポンプ機場において、
前記２本のガイド部材に摺動係合部材を介して撹拌装置を着脱可能に、かつ、第２昇降手段により所定位置に位置決めするようにしたことを特徴とするマンホールポンプ機場。
【請求項２】
前記構成のマンホールポンプをマンホールに２基設置し、その互いに隣接する中央の２本のガイド部材に、摺動係合部材を介して撹拌装置を着脱可能に、かつ、第２昇降手段により所定位置に位置決めするようにしたことを特徴とする前記請求項１に記載のマンホールポンプ機場。
【請求項３】
前記摺動係合部材が、２本のガイド部材の外周を抱持する構成としたことを特徴とする前記請求項１または２のいずれかに記載のマンホールポンプ機場。
【発明の詳細な説明】
【０００１】
【発明の属する技術分野】
本発明は、マンホールポンプ機場に関するものである。
【０００２】
【従来の技術】
従来、下水道において、管路の途中にマンホールポンプ機場を設け、上流側管路から流入する下水を一時マンホールに貯留し、貯留量が所定量に達したことを水位計等で検出するとマンホールに設置したマンホールポンプ（水中モータポンプ）を駆動することにより順次下流側管路に送水するようになっている。なお、マンホールポンプは水位が所定値以下になると運転を停止する。
【０００３】
前記マンホールポンプ機場においては、前述したことから明らかなように、マンホールポンプは間欠運転するため、ポンプの停止中に、マンホール内の下水表面でスカムの発生や成長、マンホール内壁面や配管、揚水管、マンホールポンプのモータ部、水位計へのスカム等の付着や成長、土砂、ヘドロのマンホール底部への沈澱、堆積が生じる。
【０００４】
そして、前記スカムの経時的発酵、固化成長、堆積ヘドロの嫌気化や腐敗などにより、マンホール蓋近傍での臭気公害、硫化水素の発生によりコンクリート構造物等の腐食が促進されるため、マンホールの点検や清掃をしばしば行わなければならず、マンホールポンプ機場の維持管理費が増大する。
【０００５】
これを防止するために、マンホール内に撹拌装置を設けて、マンホール内の汚水を撹拌、曝気するようにしたものが提案されている。
【０００６】
また、前記マンホールポンプとしては、マンホール底部に固定設置する形式のものと、マンホールポンプを昇降手段により昇降してマンホール底部に設置した揚水管のベンド流入側フランジに着脱自在に圧着させる形式のもの（実開昭６３−１６２９９５号等）がある。
【０００７】
そして、マンホールポンプの形式がいずれであっても、従来、前記撹拌装置は揚水管に金属製ブラケットにより取り付けられていた。
【０００８】
【発明が解決しようとする課題】
したがって、前記撹拌装置を点検あるいは修理する場合、作業者はマンホール内に入る必要があるが、マンホール内、特にマンホール底部は、前述のように極めて労働衛生上好ましい作業環境でない。
【０００９】
また、撹拌装置を修理する場合、場合によっては撹拌装置を揚水管から取り外してマンホール外に搬出し、修理したのち、再度揚水管に取り付けなければならず作業時間がかかる等の課題を有していた。
【００１０】
本発明者らは、前記後者の形式のマンホールポンプにおいては、２本のガイド部材が設置されており、ポンプ本体をこのガイド部材を介して昇降させる点に着目し、撹拌装置をも前記ガイド部材でマンホール内に昇降する形式とすることにより前記課題を解決できることを見出して本発明を完成したものである。
【００１１】
【課題を解決するための手段】
本発明は、２本のガイド部材を介して第１昇降手段によりマンホールポンプを昇降し、このマンホールポンプの吐出側フランジを、マンホール底部に設置した揚水管のベンド流入側フランジに着脱させる形成のマンホールポンプ機場において、前記２本のガイド部材に摺動係合部材を介して撹拌装置を着脱可能に、かつ、第２昇降手段により所定位置に位置決めするようにしたものである。
【００１２】
なお、前記構成のマンホールポンプをマンホールに２基設置し、その互いに隣接する中央の２本のガイド部材に、摺動係合部材を介して撹拌装置を着脱可能に、かつ、第２昇降手段により所定位置に位置決めするようにしてもよい。
【００１３】
また、前記摺動係合部材を、２本のガイド部材の外周を抱持する構成とすることが好ましい。
【００１４】
【発明の実施の形態】
つぎに、本発明の実施の形態を図にしたがって説明する。
本発明にかかるマンホールポンプ設備Ｔは、大略、モータ５とインペラ（図示せず）等を内蔵するハウジング２とからなるマンホールポンプ１と、マンホールＨの底部に設置されたベンド６と、このベンド６の吐出側に接続され、排水管９Ａへ至る揚水管８と、撹拌装置１０とからなる。なお、９Ｂは下水流入管である。
【００１５】
また、前記ベンド６あるいはマンホールＨの底部等の固定部からマンホールＨの上部にかけて下記するように前記マンホールポンプ１を昇降させる２本のステンレス等耐食性を有する金属製パイプからなるガイド部材１５が設置されている。すなわち、前記ガイド部材１５の上端は、図３に示すように、マンホールＨの上部に差し渡して設けた支持梁１６から突出したブラケット１７に取り付けられている。図に示すものは、ブラケット１７の先端部形状はガイド部材１５の径より小径の半円形となっている。
【００１６】
前記マンホールポンプ１は、前記ハウジング２の前方、すなわち、吐出側フランジ３の上部には、前記ベンド６の流入側フランジ７に係止するフック部４を備えるとともに、前記吐出側フランジ３には前記２本のガイド部材１５の外方を抱持する、下記する撹拌装置１０に備えたものと同一構造の摺動係合部材１８を有する。
【００１７】
前記撹拌装置１０は、撹拌羽根１１と水中モータ部１２を備えたもので、水中モータ部１２の上部にサポート部材１３を有し、このサポート部材１３には、前記２本のガイド部材１５を抱持する摺動係合部材１８を備えている。
【００１８】
前記摺動係合部材１８は、図４に示すように、２本のガイド部材１５の対向する内面側外方を抱持するように半円形の凹部１９を有するもので、前記水中モータ部１２に所定角度となるように角度調整部材２０を介して取り付けられている。なお、前記マンホールポンプ１に設ける摺動係合部材１８は、ハウジング２の吐出側フランジ３に一体的に設けられている。
【００１９】
したがって、前記マンホールポンプ１は、その摺動係合部材１８で２本のガイド部材１５を抱持させるように上方からガイド部材１５に装着し、図示しないチェーン（第１昇降手段）により上方から吊り下げて降下していくと、やがてフック部４がベンド６の流入側フランジ７に係止し、その後、両フランジ３，７の端面がマンホールポンプ１の自重により圧着してマンホールポンプ１をベンド６に接続する。
【００２０】
ついで、前記チェーンを前記支持梁１６に設けた他の係止部（図示せず）に係止する。
【００２１】
前記のようにして、マンホールポンプ１がマンホールＨに設置されると、つぎに、前記撹拌装置１０をマンホールポンプ１と同様、その摺動係合部材１８で前記２本のガイド部材１５に装着してチェーン２１（第２昇降手段）により所定位置に降下させ、チェーン２１を前記係止部１４に係止することにより位置決めすればよい。
【００２２】
前記実施の形態では、マンホールＨに２台のマンホールポンプ１，１を設置し、一方のガイド部材１５に撹拌装置１０を装着する場合であるが、場合によっては、各マンホールポンプ１について各々撹拌装置１０を装着してもよい。
【００２３】
また、２台のマンホールポンプ１，１を設置する場合、図７に示すように、撹拌装置１０を２組のガイド部材１５のうち隣接する中央の２本のガイド部材１５ｂ，１５ｃに取り付けるようにしてもよい。この場合、摺動係合部材１８の両端はガイド部材１５を外側から抱持するようにしてもよい。
【００２４】
なお、前記ガイド部材１５とブラケット１７との取り付けは、前述のようにガイド部材１５の側方から取り付けるものに限らず、摺動係合部材１８が上方からガイド部材１５に抱持装着できる形式のものであればよい。
【００２５】
前記構成において、汚水流入管９Ｂから汚水が流入し、ポンプ起動水位まで水位が上昇したことを図示しない水位計が検知すると、前記マンホールポンプ１と撹拌装置１０が起動し、マンホールＨ内の汚水を撹拌しつつ汚水を揚水管８、排水管９Ａを介して排水する。そして、水位がポンプ停止水位になると、マンホールポンプ１と撹拌装置１０は停止する。
【００２６】
前記マンホールポンプ機場Ｔを長期にわたって操業し、あるいは操業中に撹拌装置１０等が故障し修理する必要が生じると、まず、撹拌装置１０に取り付けたチェーン２１の一端をウインチ等に取り付けて、チェーン２１の係止部１４との係止を解除してチェーン２１を巻き上げることにより撹拌装置１０を地上に引き上げ、また、マンホールポンプ１も前記同様にして地上に引き上げて修理を行う。
【００２７】
【発明の効果】
以上の説明で明らかなように、本発明によれば、撹拌装置を、マンホールポンプのマンホールへの設置に必要なガイド部材を介して昇降させて所定位置への固定および修理等のための地上への引き上げを行うものであって、従来のように、揚水管へ固定するものでないため、撹拌装置の点検、補修あるいは取り替えを劣悪な作業環境で行うことなく地上にて容易に短時間で行うことができる。
【００２８】
また、撹拌装置の設置高さを容易に変更することができるため、正確に予期できないスカム等の局所的発生、形成、成長やヘドロ等の局所的堆積、成長等が点検により判明した場合、撹拌装置の設置高さ、すなわち撹拌水流の発生高さ、方向を容易に調整でき局所的な障害の発生、成長を抑制することができる。
【００２９】
さらに、撹拌装置の設置高さを適切に変更調整することにより、マンホールポンプのモータ部のスカム付着等による熱的障害、水位検出器へのスカム付着等による誤作動、固化した夾雑物のポンプの閉塞等の運転障害も防止でき、マンホールポンプの運転信頼性を向上させることができる等の効果を奏する。
【図面の簡単な説明】
【図１】  本発明にかかるマンホール機場の正面断面図。
【図２】  図１の側面断面図。
【図３】  本発明にかかるマンホール機場の平面断面図。
【図４】  撹拌装置のガイド部材への装着した状態の平面図。
【図５】  撹拌装置のガイド部材への装着した状態の側面図。
【図６】  本発明にかかるマンホール機場の他の実施態様を示す正面断面図。
【図７】  図６における撹拌装置のガイド部材への装着方法を示す平面図。
【符号の説明】
１〜マンホールポンプ、２〜ハウジング、３〜吐出側フランジ、４〜フック部、５〜モータ、６〜ベンド、７〜流入側フランジ、８〜揚水管、１０〜撹拌装置、１１〜撹拌羽根、１３〜サポート部材、１４〜係止部、１５〜ガイド部材、１６〜支持梁、１７〜ブラケット、１８〜摺動係合部材、１９〜凹部、２１〜チェーン、Ｈ〜マンホール、Ｔ〜マンホールポンプ機場。
【図１】
0004434522.tif 000002
【図２】
0004434522.tif 000003
【図３】
0004434522.tif 000004
【図４】
0004434522.tif 000005
【図５】
0004434522.tif 000006
【図６】
0004434522.tif 000007
【図７】
0004434522.tif 000008